(57)【要約】  本発明は、吸引バルブの構成が設けられた往復コンプレッサに関し、より詳細には、少なくとも２つの「オリフィスバルブ」セットを備えたバルブの構成で形成された、異なる作動圧力の少なくとも２つの吸引ラインを伴って作動することが可能である往復コンプレッサに関する。これらセットの内の一方は半コマンド型バルブを提供し、他方のセットは自動型バルブを提供する。本発明に要旨は、前記「オリフィスバルブ」セットが往復コンプレッサの様々な構成要素上に配置されているという事実に関する。
2017508919.tif 000002
【特許請求の範囲】
【請求項１】
吸引バルブの構成が設けられた往復コンプレッサにして、
少なくとも圧縮シリンダ（１）と、圧縮シリンダ（１）の一端に配置された少なくともバルブプレート（２）と、および圧縮シリンダ（１）の内部に配置された少なくとも可動ピストン（３）と、を備える、往復コンプレッサであって、
少なくとも吸引オリフィス（５１）と、それぞれの吸引オリフィス（５１）と協働して作動する少なくとも吸引バルブ（６１）と、および、吸引バルブ（６１）と選択的に相互作用することが可能な少なくとも電磁場発生要素（７１）とが備えられた少なくとも「オリフィスバルブ」セット（４１）と、
少なくとも吸引オリフィス（５２）と、それぞれの吸引オリフィス（５２）と協働して作動する少なくとも吸引バルブ（６２）とが備えられた少なくとも「オリフィスバルブ」セット（４２）と、
が備えられた少なくとも吸引バルブの構成と、
を備え、
特に、前記「オリフィスバルブ」セット（４１）および（４２）が、往復コンプレッサの異なる構成要素に配置されていることを特徴とする、吸引バルブの構成が設けられた往復コンプレッサ。
【請求項２】
「オリフィスバルブ」セット（４１）が、往復コンプレッサの圧縮シリンダ（１）上に配置されていることを特徴とする、請求項１に記載の、吸引バルブの構成が備えられた往復コンプレッサ。
【請求項３】
「オリフィスバルブ」セット（４２）が、往復コンプレッサのバルブプレート（２）上に配置されていることを特徴とする、請求項２に記載の、吸引バルブの構成が備えられた往復コンプレッサ。
【請求項４】
「オリフィスバルブ」セット（４２）が、往復コンプレッサの可動ピストン（３）上に配置されていることを特徴とする、請求項２に記載の、吸引バルブの構成が備えられた往復コンプレッサ。
【請求項５】
「オリフィスバルブ」セット（４１）が、往復コンプレッサのバルブプレート（２）上に配置されていることを特徴とする、請求項１に記載の、吸引バルブの構成が備えられた往復コンプレッサ。
【請求項６】
「オリフィスバルブ」セット（４２）が、往復コンプレッサの圧縮シリンダ（１）上に配置されていることを特徴とする、請求項５に記載の、吸引バルブの構成が備えられた往復コンプレッサ。
【請求項７】
「オリフィスバルブ」セット（４２）が、往復コンプレッサの可動ピストン（３）上に配置されていることを特徴とする、請求項５に記載の、吸引バルブの構成が備えられた往復コンプレッサ。
【請求項８】
「オリフィスバルブ」セット（４１）が、往復コンプレッサの可動ピストン（３）上に配置されていることを特徴とする、請求項１に記載の、吸引バルブの構成が備えられた往復コンプレッサ。
【請求項９】
「オリフィスバルブ」セット（４２）が、往復コンプレッサの圧縮シリンダ（１）上に配置されていることを特徴とする、請求項８に記載の、吸引バルブの構成が備えられた往復コンプレッサ。
【請求項１０】
「オリフィスバルブ」セット（４２）が、往復コンプレッサのバルブプレート（２）上に配置されていることを特徴とする、請求項８に記載の、吸引バルブの構成が備えられた往復コンプレッサ。
【発明の詳細な説明】
【技術分野】
【０００１】
本発明は、吸引バルブの構成が設けられた往復コンプレッサに関し、より詳細には、異なる作動圧力の少なくとも２つの吸引ラインを伴って作動することが可能であり、少なくとも２つの「オリフィスバルブ」セットを備えたバルブの構成で形成された往復コンプレッサに関する。
【０００２】
概して、当該発明の要旨は、往復コンプレッサにおける「オリフィスバルブ」セットの物理的位置に関し、前記「オリフィスバルブ」セットの各々は、吸引バルブの構成の組立ておよびメンテナンスを全体として簡素化するように、前記往復コンプレッサの圧縮機構の特定の領域に配置される。
【背景技術】
【０００３】
当業者に既知であるように、コンプレッサは、１つまたは複数の圧縮チャンバの体積の収縮により、作動流体の圧縮が可能であるデバイスを備えている。圧縮チャンバには、前記作動流体が一時的に貯蔵される。
【０００４】
往復コンプレッサは、たとえば、ピストンがシリンダ内でスライドし、シリンダの体積を増減させる圧縮機構を備えている。当業者に既知であるように、圧縮チャンバの体積の収縮は、バルブの切替えと協働する。バルブの切替えも、コンプレッサの圧縮機構の一部である。
【０００５】
したがって、好ましくは冷却システムに使用される往復コンプレッサの圧縮機構が、少なくとも排出バルブと、少なくとも吸引バルブとを含むものとすることが一般的である。前記各バルブにより、一定量の作動流体が圧縮チャンバ内に入り、次いで、この量の作動流体が高圧下で圧縮チャンバから放出されることが可能になる。
【０００６】
通常、冷却流体の流入、すなわち吸引は、吸引バルブが「開」であり、排出バルブが「閉」である場合に行われる。対照的に、冷却流体の放出、すなわち排出は、吸引バルブが「閉」であり、排出バルブが「開」である場合に行われる。
【０００７】
本技術分野の現状によれば、冷却システムに適用される往復コンプレッサには通常、バイパスタイプのバルブが使用される。このバイパスタイプのバルブは、圧縮チャンバ内の圧力差に基づいて作動状態を（開から閉に、および閉から開に）変化させることが可能である金属ブレードによって形成される。このタイプの動作を念頭において、現行のバイパスタイプのバルブ（吸引と排出のいずれかに関する）が自動型バルブと規定することができる。つまり、このバルブの作動状態の変化は、外部のオペレータの干渉なしで行われる。
【０００８】
このタイプのバルブを使用することは極めて有益である。つまり、バルブの作動状態の切替えを担う電子システムまたはドライブが不要である。
【０００９】
本技術分野の最も従来の状況では、冷却システムに使用される往復コンプレッサの圧縮機構は基本的に、圧縮シリンダと、バルブプレートと、可動ピストンとによって形成され、可動ピストンの頂部と、圧縮シリンダの壁の内面と、バルブプレートとの間に画定された空間が圧縮チャンバを形成し、この圧縮チャンバの体積が前記可動ピストンの動きに応じて変化することが留意され得る。これら基本的な既知の実施形態では、１つの吸引セットのみが、吸引バルブに備えられ、吸引バルブのそれぞれの吸引オリフィスと協働して作動し、１つの排出セットのみが、排出バルブに備えられ、排出バルブのそれぞれの排出オリフィスと協働して作動する。従来、吸引セットと排出セットとの両方が、往復コンプレッサのバルブプレート上に配置されている。当業者には既知であるように、吸引バルブは圧縮チャンバの内側に向けて調整され、排出バルブは圧縮チャンバの外側に向けて調整される。
【００１０】
したがって、吸引バルブが吸引圧力を受ける場合、吸引バルブは可動ピストンに向かって移動する傾向にある。対照的に、排出バルブが排出圧力を受ける場合、排出バルブは排出チャンバの外側に移動する傾向にある。したがって、前記吸引バルブの組立て、寸法決め、および作動は、排出バルブの組立て、寸法決め、および作動よりも複雑であることが知られている。当該技術の現状では、たとえば、可動ピストンの頂部に凹状の形状を設けて、可動ピストンと吸引バルブとの接触を避けている。
【００１１】
上述の基本的実施形態に加え、当該技術の現状では、往復コンプレッサ内の複数の異なる吸引ライン、すなわち、異なる値の複数の吸引圧力で駆動することができる往復コンプレッサの実施形態が提供されている。これらコンプレッサは、複数吸引往復コンプレッサとして知られている。
【００１２】
複数吸引往復コンプレッサの例は、文献ブラジル連邦共和国特許出願公開１００１３５９号明細書に記載されている。
【００１３】
大まかに言えば、また前記文献ブラジル連邦共和国特許出願公開１００１３５９号明細書に記載されているように、単一の圧縮機構が少なくとも２つの吸引ラインの１つでもっぱら作動をすることが可能である。
【００１４】
したがって、前記往復コンプレッサには、少なくとも２つの吸引セットを備えた吸引バルブの構成が設けられ、この２つの吸引セットの各々には、そのそれぞれの吸引オリフィスと協働して作動する吸引バルブが備えられている。明らかに、排出セットがさらに設けられている。
【００１５】
文献ブラジル連邦共和国特許出願公開１００１３５９号明細書に記載されているように、排出セットに加え、吸引セットの両方は、前記往復コンプレッサの圧縮機構に属する単一のバルブプレート上に配置されている。したがって、両方の吸引オリフィスと、吸引バルブの固着手段とは、前記バルブプレートに固着されるか、配置される。
【００１６】
吸引セットの１つは、電磁場発生要素も備えていることにさらに留意されたい。この電磁場発生要素は、吸引バルブの作動状態の（開から閉へ、および閉から開への）切替えを補助および／または防止することが可能である。したがって、前記吸引バルブが（電磁場発生要素により）電子的に駆動可能であり、かつ／または（圧縮チャンバの圧力差により）自動的に駆動されることが確認される。このタイプの作動を念頭において、吸引バルブが半自動型または半コマンド型バルブであると規定することが可能である。
【００１７】
したがって、言及された文献ブラジル連邦共和国特許出願公開１００１３５９号明細書の往復コンプレッサが、半コマンド型吸引セットおよび自動型吸引セットを有する吸引バルブの構成を備えていることと、前記セットが排他的に作動する、すなわち、半コマンド型吸引セットと自動型吸引セットとは同時には作動しないこととを確認することが可能である。
【００１８】
したがって、前記吸引圧力を選択する（伴って作動する）ことが望ましい場合、電磁場発生要素を起動せずに事足りる。この状況下では、まさに吸引圧力が吸引バルブを開いたままとし、さらに、吸引バルブを閉じたままとする。吸引圧力を選択する（伴って作動する）ことが望ましい場合、電磁場発生要素を起動すれば十分である。このような状況下では、この要素によって生じる磁界により、その吸引オリフィスをふさぎ、吸引圧力をブロックするとともに、吸引圧力によりその吸引オリフィスに対して吸引バルブを開いたままにすることを可能にするように、吸引バルブが引きつけられることになる。
【００１９】
文献ブラジル連邦共和国特許出願公開１００１３５９号明細書に記載の複数吸引コンプレッサのコンセプトは、極めて興味深く、複数の蒸発器を備えた冷却システムの向上を可能にし、結果として、各蒸発器がそれ自体の吸引ラインを有し得、他の蒸発器とは独立して駆動され得る。この駆動の選択は、電気コイルの単一の駆動により、コンプレッサ自体に行われる。しかしながら、上述の基本的コンセプトは有益かつ革命的であることを考慮しても、言及された文献ブラジル連邦共和国特許出願公開１００１３５９号明細書に提供された実施形態には、簡素化および向上が可能な様々な態様がある。
【００２０】
そのような態様の１つは、コンプレッサのバルブプレート上に近接して配置された吸引セットの現在の位置に関する。それらが近接して配置されているため、吸引バルブのこの構成のアセンブリは問題が極めて多く、特にコンプレッサが小形化されたコンプレッサである場合、このため、前記アセンブリの物理的空間がほとんどない。
【００２１】
当業者には既知であるように、往復コンプレッサの非効率性の主な原因の１つは、吸引バルブを通る冷却流体の流出によって生じるエネルギの損失に起因する。したがって、前記コンプレッサの開発において、吸引バルブとそのそれぞれのオリフィスとの間の流出流体の通過面積を最大化するための努力がされている。このことは、バイパスおよび／または寸法上の制限の信頼性の要件によって通常は制限されるが、この理由は、バルブプレート上の空間が制限されるためである。
【００２２】
さらに、依然として吸引セット間の近接性に関して、電磁場発生装置をバルブプレートに導入することには問題が極めて多く、このため、前記アセンブリのための空間がかなり制限されることにさらに留意されたい。
【００２３】
この背景をもとに、この空間的態様を改善する観点から、本発明がなされた。
【先行技術文献】
【特許文献】
【００２４】
【特許文献１】ブラジル連邦共和国特許出願公開１００１３５９号明細書
【発明の概要】
【発明が解決しようとする課題】
【００２５】
したがって、当該発明の目的の１つは、文献ブラジル連邦共和国特許出願公開１００１３５９号明細書に詳述された吸引バルブの構成の実施形態に関する寸法の問題を解決することが可能である、吸引バルブの構成が設けられた往復コンプレッサを示すことである。
【００２６】
したがって、当該発明の目的は、複数吸引コンプレッサの複数吸引バルブの組立て、メンテナンス、および作動を容易にすることが可能である、ここで述べられている吸引バルブの構成である。
【００２７】
当該発明の別の目的は、複数吸引コンプレッサのバルブプレート上に直接電気コイルを追加することを容易にすることが可能である、ここで述べられている吸引バルブの構成である。
【００２８】
最後に、当該発明の目的は、小形化された複数吸引コンプレッサのバルブプレートの空間の使用を簡素化することである。
【課題を解決するための手段】
【００２９】
当該発明の目的は、コンプレッサが、少なくとも圧縮シリンダと、圧縮シリンダの一端に配置された少なくともバルブプレートと、圧縮シリンダ内に配置された少なくとも可動ピストンと、を備えた、吸引バルブの構成が設けられた往復コンプレッサによって完全に達成される。
【００３０】
さらに、当該発明によれば、前記コンプレッサは、少なくとも吸引オリフィスが備えられた少なくとも第１の「オリフィスバルブ」セットと、それぞれの吸引オリフィスと協働して作動する少なくとも吸引バルブと、吸引バルブと選択的に相互作用することが可能である少なくとも電磁場発生要素と、少なくとも吸引オリフィスが備えられた少なくとも第２の「オリフィスバルブ」セットと、をも備え、少なくとも吸引バルブは、そのそれぞれの吸引オリフィスと協働して作動する。
【００３１】
大まかに言えば、当該発明は、前記「オリフィスバルブ」セットが往復コンプレッサの異なる構成要素上に配置されているという事実により、顕著な点を生じる。
【００３２】
当該発明は、以下に列挙する各図に基づき、より詳細に記載される。
【図面の簡単な説明】
【００３３】
【図１】図１は、当該発明による、吸引バルブの構成の第１の実施形態を備えた２重吸引圧縮機構を示す図である。
【図２】図２は、当該発明による、吸引バルブの構成の第２の実施形態を備えた２重吸引圧縮機構を示す図である。
【図３】図３は、当該発明による、吸引バルブの構成の第３の実施形態を備えた２重吸引圧縮機構を示す図である。
【発明を実施するための形態】
【００３４】
前述のように、当該発明には、文献ブラジル連邦共和国特許出願公開１００１３５９号明細書に詳述された発明の、純粋に任意選択的な特定の改善を提供することを目的とする、技術的に発展的な性質の補足が含まれている。特に、当該発明の主な目的は、文献ブラジル連邦共和国特許出願公開１００１３５９号明細書に詳述されたバルブの構成の実施形態に関する寸法の問題を解決することである。
【００３５】
したがって、圧縮シリンダ１と、圧縮シリンダ１の一端に配置されたバルブプレート２と、圧縮シリンダ１の内部に配置された可動ピストン３とを備える往復コンプレッサであって、吸引オリフィス５１と、それぞれの吸引オリフィス５１と協働して作動する吸引バルブ６１と、吸引バルブ６１と選択的に相互作用することが可能である電磁場発生要素７１とが備えられた第１の「オリフィスバルブ」セット４１と、少なくとも吸引オリフィス５２と、そのそれぞれの吸引オリフィス５２と協働して作動する少なくとも吸引バルブ６２とが備えられた第２の「オリフィスバルブ」セット４２と、を備える往復コンプレッサに、すべてが特に適した３つの全体的な実施形態の実現性が提示される。
【００３６】
これに関連して、「オリフィスバルブ」セット４１が吸引半コマンド型バルブを備えることと、「オリフィスバルブ」セット４２が自動型吸引バルブを備えることと、これらバルブの両方がとりわけ、バイパスタイプのバルブを備えていることとに言及する価値がある。
【００３７】
ここまでに述べられた技術的態様すべては、当該技術の現状に属しており、文献ブラジル連邦共和国特許出願公開１００１３５９号明細書に大まかに例示および記載されている。
【００３８】
しかしながら、当該発明の要旨には、「オリフィスバルブ」セットが、往復コンプレッサの異なる構成要素上に配置され、それにより、前記コンプレッサを形成する構成要素のサイズの簡素化を可能にする構成を提供することが含まれる。
【００３９】
第１の実施形態が図１に示されている。
【００４０】
図１に示すように、「オリフィスバルブ」セット４１（吸引オリフィス５１と、それぞれの吸引オリフィス５１と協働する吸引バルブ６１と、吸引バルブ６１と選択的に相互作用することが可能である電磁場発生要素７１とが適切に備えられている）が、往復コンプレッサの圧縮シリンダ１上に配置されている。
【００４１】
より具体的には、前記吸引バルブ６１は、前記吸引オリフィス５１によって圧縮シリンダ１の内部と流体連通する一種の副室に固着されている（本発明によれば、それぞれのオリフィスのバルブ固着手段は、当該技術の現状に関する様々な形態で生じ得る）。さらに、述べられた電磁場発生要素７１、好ましくは電気コイルは、好ましくは上述の副室の内部に配置されていることをも留意されたい。
【００４２】
さらに図１に関連して、「オリフィスバルブ」セット４２（吸引オリフィス５２と、それぞれの吸引オリフィス５２と協働して作動する吸引バルブ６２とが適切に備えられている）が、往復コンプレッサのバルブプレート２上に配置されていることに留意されたい。
【００４３】
任意選択的に、かつ、さらにこの第１の実施形態によれば、「オリフィスバルブ」セット４２は、往復コンプレッサの可動ピストン３上に配置され得る。
【００４４】
さらにこれに関連して、上述の副室が、２つの機能の環境を備え得ることを開示することに価値がある。すなわち、「オリフィスバルブ」セット４１の組立てに適切な環境と、同時に、音響上の最適化機能（吸引マフラ）を有する環境とである。
【００４５】
第２の実施形態が図２に示されている。
【００４６】
図２に示すように、「オリフィスバルブ」セット４１（吸引オリフィス５１と、それぞれの吸引オリフィス５１と協働して作動する吸引バルブ６１と、吸引バルブ６１と選択的に相互作用することが可能である電磁場発生要素７１とが適切に備えられている）が、往復コンプレッサのバルブプレート２上に配置されている。
【００４７】
より詳細には、電磁場発生要素７１が、圧縮シリンダ１の外側にあるように、バルブプレート２上に固着されており、一方、前記吸引バルブ６１は圧縮シリンダ１内に配置されている。吸引オリフィス５１自体は、バルブプレート２上に形成された中空オリフィスを備えている。本発明によれば、それぞれのオリフィス上のバルブ固着手段は、当該技術の現状に関連して、様々な形態で生じ得る。
【００４８】
さらに図２に関連して、「オリフィスバルブ」セット４２（吸引オリフィス５２と、それぞれの吸引オリフィス５２と協働して作動する吸引バルブ６２とが適切に備えられている）が、往復コンプレッサの圧縮シリンダ３に配置されており、このタイプの配置は、当業者によってすでに知られていることに留意されたい。
【００４９】
任意選択的に、かつ、さらにこの第２の実施形態によれば、「オリフィスバルブ」セット４２は、往復コンプレッサの圧縮シリンダ１上に配置され得る。
【００５０】
第３の実施形態が図３に示されている。
【００５１】
図３に示すように、「オリフィスバルブ」セット４１（吸引オリフィス５１と、それぞれの吸引オリフィス５１と協働して作動する吸引バルブ６１と、吸引バルブ６１と選択的に相互作用することが可能である電磁場発生要素７１とが適切に備えられている）が、往復コンプレッサの圧縮シリンダ３上に配置されている。
【００５２】
より詳細には、電磁場発生要素７１が、圧縮シリンダ１の外側にあるように、圧縮シリンダ３の背面上に固着されており、一方、前記吸引バルブ６１は圧縮シリンダ１内に配置されている。吸引オリフィス５１自体は、まさに圧縮シリンダ３上に形成された中空オリフィスを備えており、本発明によれば、それぞれのオリフィス上のバルブ固着手段は、当該技術の現状に関連して、様々な形態で生じ得る。
【００５３】
さらに図３に関連して、「オリフィスバルブ」セット４２（吸引オリフィス５２と、それぞれの吸引オリフィス５２と協働して作動する吸引バルブ６２とが適切に備えられている）が、バルブプレート２上に配置されており、このタイプの配置は、当業者によってすでに知られていることに留意されたい。
【００５４】
任意選択的に、かつ、さらにこの第３の実施形態によれば、「オリフィスバルブ」セット４２は、往復コンプレッサの圧縮シリンダ１上に配置され得る。
【００５５】
これら実施形態の、当該技術の状況（特に、文献ブラジル連邦共和国特許出願公開１００１３５９号明細書に記載の技術の状況）に対する大きな利点は、半コマンド型バルブ（吸引バルブ６１およびその電磁場発生要素７１）が、往復コンプレッサの異なる構成要素に、自動型バルブ（吸引バルブ６２）から「離れて」配置されているという事実に関する。このことにより、全体として「オリフィスバルブ」セット４１のアセンブリのための空間、より具体的には、全体として、前記「オリフィスバルブ」セット４１に付属する電磁場発生要素７１のアセンブリのための空間の使用が可能になり、それにより、実現可能かつ実施可能な小型のコンプレッサの実施形態を可能にする。
【００５６】
当該発明の好ましい実施形態の例を説明してきたが、本特許の範囲は、特許請求の範囲の内容によってのみ制限される他の潜在的な変形形態を含み得、この特許請求の範囲には、可能性のある均等の手段が含まれることを理解しなければならない。
【図１】
2017508919.tif 000003
【図２】
2017508919.tif 000004
【図３】
2017508919.tif 000005
【手続補正書】
【提出日】平成28年1月21日(2016.1.21)
【手続補正１】
【補正対象書類名】明細書
【補正対象項目名】全文
【補正方法】変更
【補正の内容】
【発明の詳細な説明】
【技術分野】
【０００１】
本発明は、吸引バルブの構成が設けられた往復コンプレッサに関し、より詳細には、異なる作動圧力の少なくとも２つの吸引ラインを伴って作動することが可能であり、少なくとも２つの「オリフィスバルブ」セットを備えたバルブの構成で形成された往復コンプレッサに関する。
【０００２】
概して、当該発明の要旨は、往復コンプレッサにおける「オリフィスバルブ」セットの物理的位置に関し、前記「オリフィスバルブ」セットの各々は、吸引バルブの構成の組立ておよびメンテナンスを全体として簡素化するように、前記往復コンプレッサの圧縮機構の特定の領域に配置される。
【背景技術】
【０００３】
当業者に既知であるように、コンプレッサは、１つまたは複数の圧縮チャンバの体積の収縮により、作動流体の圧縮が可能であるデバイスを備えている。圧縮チャンバには、前記作動流体が一時的に貯蔵される。
【０００４】
往復コンプレッサは、たとえば、ピストンがシリンダ内でスライドし、シリンダの体積を増減させる圧縮機構を備えている。当業者に既知であるように、圧縮チャンバの体積の収縮は、バルブの切替えと協働する。バルブの切替えも、コンプレッサの圧縮機構の一部である。
【０００５】
したがって、好ましくは冷却システムに使用される往復コンプレッサの圧縮機構が、少なくとも排出バルブと、少なくとも吸引バルブとを含むものとすることが一般的である。前記各バルブにより、一定量の作動流体が圧縮チャンバ内に入り、次いで、この量の作動流体が高圧下で圧縮チャンバから放出されることが可能になる。
【０００６】
通常、冷却流体の流入、すなわち吸引は、吸引バルブが「開」であり、排出バルブが「閉」である場合に行われる。対照的に、冷却流体の放出、すなわち排出は、吸引バルブが「閉」であり、排出バルブが「開」である場合に行われる。
【０００７】
本技術分野の現状によれば、冷却システムに適用される往復コンプレッサには通常、バイパスタイプのバルブが使用される。このバイパスタイプのバルブは、圧縮チャンバ内の圧力差に基づいて作動状態を（開から閉に、および閉から開に）変化させることが可能である金属ブレードによって形成される。このタイプの動作を念頭において、現行のバイパスタイプのバルブ（吸引と排出のいずれかに関する）が自動型バルブと規定することができる。つまり、このバルブの作動状態の変化は、外部のオペレータの干渉なしで行われる。
【０００８】
このタイプのバルブを使用することは極めて有益である。つまり、バルブの作動状態の切替えを担う電子システムまたはドライブが不要である。
【０００９】
本技術分野の最も従来の状況では、冷却システムに使用される往復コンプレッサの圧縮機構は基本的に、圧縮シリンダと、バルブプレートと、可動ピストンとによって形成され、可動ピストンの頂部と、圧縮シリンダの壁の内面と、バルブプレートとの間に画定された空間が圧縮チャンバを形成し、この圧縮チャンバの体積が前記可動ピストンの動きに応じて変化することが留意され得る。これら基本的な既知の実施形態では、１つの吸引セットのみが、吸引バルブに備えられ、吸引バルブのそれぞれの吸引オリフィスと協働して作動し、１つの排出セットのみが、排出バルブに備えられ、排出バルブのそれぞれの排出オリフィスと協働して作動する。従来、吸引セットと排出セットとの両方が、往復コンプレッサのバルブプレート上に配置されている。当業者には既知であるように、吸引バルブは圧縮チャンバの内側に向けて調整され、排出バルブは圧縮チャンバの外側に向けて調整される。
【００１０】
したがって、吸引バルブが吸引圧力を受ける場合、吸引バルブは可動ピストンに向かって移動する傾向にある。対照的に、排出バルブが排出圧力を受ける場合、排出バルブは排出チャンバの外側に移動する傾向にある。したがって、前記吸引バルブの組立て、寸法決め、および作動は、排出バルブの組立て、寸法決め、および作動よりも複雑であることが知られている。当該技術の現状では、たとえば、可動ピストンの頂部に凹状の形状を設けて、可動ピストンと吸引バルブとの接触を避けている。
【００１１】
上述の基本的実施形態に加え、当該技術の現状では、往復コンプレッサ内の複数の異なる吸引ライン、すなわち、異なる値の複数の吸引圧力で駆動することができる往復コンプレッサの実施形態が提供されている。これらコンプレッサは、複数吸引往復コンプレッサとして知られている。
【００１２】
複数吸引往復コンプレッサの例は、文献ブラジル連邦共和国特許出願公開１００１３５９号明細書に記載されている。
【００１３】
大まかに言えば、また前記文献ブラジル連邦共和国特許出願公開１００１３５９号明細書に記載されているように、単一の圧縮機構が少なくとも２つの吸引ラインの１つでもっぱら作動をすることが可能である。
【００１４】
したがって、前記往復コンプレッサには、少なくとも２つの吸引セットを備えた吸引バルブの構成が設けられ、この２つの吸引セットの各々には、そのそれぞれの吸引オリフィスと協働して作動する吸引バルブが備えられている。明らかに、排出セットがさらに設けられている。
【００１５】
文献ブラジル連邦共和国特許出願公開１００１３５９号明細書に記載されているように、排出セットに加え、吸引セットの両方は、前記往復コンプレッサの圧縮機構に属する単一のバルブプレート上に配置されている。したがって、両方の吸引オリフィスと、吸引バルブの固着手段とは、前記バルブプレートに固着されるか、配置される。
【００１６】
吸引セットの１つは、電磁場発生要素も備えていることにさらに留意されたい。この電磁場発生要素は、吸引バルブの作動状態の（開から閉へ、および閉から開への）切替えを補助および／または防止することが可能である。したがって、前記吸引バルブが（電磁場発生要素により）電子的に駆動可能であり、かつ／または（圧縮チャンバの圧力差により）自動的に駆動されることが確認される。このタイプの作動を念頭において、吸引バルブが半自動型または半コマンド型バルブであると規定することが可能である。
【００１７】
したがって、言及された文献ブラジル連邦共和国特許出願公開１００１３５９号明細書の往復コンプレッサが、半コマンド型吸引セットおよび自動型吸引セットを有する吸引バルブの構成を備えていることと、前記セットが排他的に作動する、すなわち、半コマンド型吸引セットと自動型吸引セットとは同時には作動しないこととを確認することが可能である。
【００１８】
したがって、前記吸引圧力を選択する（伴って作動する）ことが望ましい場合、電磁場発生要素を起動せずに事足りる。この状況下では、まさに吸引圧力が吸引バルブを開いたままとし、さらに、吸引バルブを閉じたままとする。吸引圧力を選択する（伴って作動する）ことが望ましい場合、電磁場発生要素を起動すれば十分である。このような状況下では、この要素によって生じる磁界により、その吸引オリフィスをふさぎ、吸引圧力をブロックするとともに、吸引圧力によりその吸引オリフィスに対して吸引バルブを開いたままにすることを可能にするように、吸引バルブが引きつけられることになる。
【００１９】
文献ブラジル連邦共和国特許出願公開１００１３５９号明細書に記載の複数吸引コンプレッサのコンセプトは、極めて興味深く、複数の蒸発器を備えた冷却システムの向上を可能にし、結果として、各蒸発器がそれ自体の吸引ラインを有し得、他の蒸発器とは独立して駆動され得る。この駆動の選択は、電気コイルの単一の駆動により、コンプレッサ自体に行われる。しかしながら、上述の基本的コンセプトは有益かつ革命的であることを考慮しても、言及された文献ブラジル連邦共和国特許出願公開１００１３５９号明細書に提供された実施形態には、簡素化および向上が可能な様々な態様がある。
【００２０】
そのような態様の１つは、コンプレッサのバルブプレート上に近接して配置された吸引セットの現在の位置に関する。それらが近接して配置されているため、吸引バルブのこの構成のアセンブリは問題が極めて多く、特にコンプレッサが小形化されたコンプレッサである場合、このため、前記アセンブリの物理的空間がほとんどない。
【００２１】
当業者には既知であるように、往復コンプレッサの非効率性の主な原因の１つは、吸引バルブを通る冷却流体の流出によって生じるエネルギの損失に起因する。したがって、前記コンプレッサの開発において、吸引バルブとそのそれぞれのオリフィスとの間の流出流体の通過面積を最大化するための努力がされている。このことは、バイパスおよび／または寸法上の制限の信頼性の要件によって通常は制限されるが、この理由は、バルブプレート上の空間が制限されるためである。
【００２２】
さらに、依然として吸引セット間の近接性に関して、電磁場発生装置をバルブプレートに導入することには問題が極めて多く、このため、前記アセンブリのための空間がかなり制限されることにさらに留意されたい。
【００２３】
依然として、特開２００７−１５４７２４号公報および英国特許出願公開第２４９０１８０号明細書などのいくつかの先行技術文献がすでに、それぞれのデバイスの異なる構成要素に各セットを備えている吸引セットの構成に関連しているが、それら文献は全体としては本発明に関連しておらず、この理由は、それら文献の解決策は、ブラジル連邦共和国特許出願公開１００１３５９号明細書の往復コンプレッサなどの、異なる作動圧力の少なくとも２つの吸引ラインを伴って作動することが可能である往復コンプレッサに関連せず、かつ／または適切ではないためであることには留意する価値がある。
【００２４】
この背景をもとに、この空間的態様を改善する観点から、本発明がなされた。
【先行技術文献】
【特許文献】
【００２５】
【特許文献１】ブラジル連邦共和国特許出願公開１００１３５９号明細書
【特許文献２】特開２００７−１５４７２４号公報
【特許文献３】英国特許出願公開第２４９０１８０号明細書
【発明の概要】
【発明が解決しようとする課題】
【００２６】
したがって、当該発明の目的の１つは、文献ブラジル連邦共和国特許出願公開１００１３５９号明細書に詳述された吸引バルブの構成の実施形態に関する寸法の問題を解決することが可能である、吸引バルブの構成が設けられた往復コンプレッサを示すことである。
【００２７】
したがって、当該発明の目的は、複数吸引コンプレッサの複数吸引バルブの組立て、メンテナンス、および作動を容易にすることが可能である、ここで述べられている吸引バルブの構成である。
【００２８】
当該発明の別の目的は、複数吸引コンプレッサのバルブプレート上に直接電気コイルを追加することを容易にすることが可能である、ここで述べられている吸引バルブの構成である。
【００２９】
最後に、当該発明の目的は、小形化された複数吸引コンプレッサのバルブプレートの空間の使用を簡素化することである。
【課題を解決するための手段】
【００３０】
当該発明の目的は、コンプレッサが、少なくとも圧縮シリンダと、圧縮シリンダの一端に配置された少なくともバルブプレートと、圧縮シリンダ内に配置された少なくとも可動ピストンと、を備えた、吸引バルブの構成が設けられた往復コンプレッサによって完全に達成される。
【００３１】
さらに、当該発明によれば、前記コンプレッサは、少なくとも吸引オリフィスが備えられた少なくとも第１の「オリフィスバルブ」セットと、それぞれの吸引オリフィスと協働して作動する少なくとも吸引バルブと、吸引バルブと選択的に相互作用することが可能である少なくとも電磁場発生要素と、少なくとも吸引オリフィスが備えられた少なくとも第２の「オリフィスバルブ」セットと、をも備え、少なくとも吸引バルブは、そのそれぞれの吸引オリフィスと協働して作動する。
【００３２】
大まかに言えば、当該発明は、前記「オリフィスバルブ」セットが往復コンプレッサの異なる構成要素上に配置されているという事実により、顕著な点を生じる。
【００３３】
当該発明は、以下に列挙する各図に基づき、より詳細に記載される。
【図面の簡単な説明】
【００３４】
【図１】図１は、当該発明による、吸引バルブの構成の第１の実施形態を備えた２重吸引圧縮機構を示す図である。
【図２】図２は、当該発明による、吸引バルブの構成の第２の実施形態を備えた２重吸引圧縮機構を示す図である。
【図３】図３は、当該発明による、吸引バルブの構成の第３の実施形態を備えた２重吸引圧縮機構を示す図である。
【発明を実施するための形態】
【００３５】
前述のように、当該発明には、文献ブラジル連邦共和国特許出願公開１００１３５９号明細書に詳述された発明の、純粋に任意選択的な特定の改善を提供することを目的とする、技術的に発展的な性質の補足が含まれている。特に、当該発明の主な目的は、文献ブラジル連邦共和国特許出願公開１００１３５９号明細書に詳述されたバルブの構成の実施形態に関する寸法の問題を解決することである。
【００３６】
したがって、圧縮シリンダ１と、圧縮シリンダ１の一端に配置されたバルブプレート２と、圧縮シリンダ１の内部に配置された可動ピストン３とを備える往復コンプレッサであって、吸引オリフィス５１と、それぞれの吸引オリフィス５１と協働して作動する吸引バルブ６１と、吸引バルブ６１と選択的に相互作用することが可能である電磁場発生要素７１とが備えられた第１の「オリフィスバルブ」セット４１と、少なくとも吸引オリフィス５２と、そのそれぞれの吸引オリフィス５２と協働して作動する少なくとも吸引バルブ６２とが備えられた第２の「オリフィスバルブ」セット４２と、を備える往復コンプレッサに、すべてが特に適した３つの全体的な実施形態の実現性が提示される。
【００３７】
これに関連して、「オリフィスバルブ」セット４１が吸引半コマンド型バルブを備えることと、「オリフィスバルブ」セット４２が自動型吸引バルブを備えることと、これらバルブの両方がとりわけ、バイパスタイプのバルブを備えていることとに言及する価値がある。
【００３８】
ここまでに述べられた技術的態様すべては、当該技術の現状に属しており、文献ブラジル連邦共和国特許出願公開１００１３５９号明細書に大まかに例示および記載されている。
【００３９】
しかしながら、当該発明の要旨には、「オリフィスバルブ」セットが、往復コンプレッサの異なる構成要素上に配置され、それにより、前記コンプレッサを形成する構成要素のサイズの簡素化を可能にする構成を提供することが含まれる。
【００４０】
第１の実施形態が図１に示されている。
【００４１】
図１に示すように、「オリフィスバルブ」セット４１（吸引オリフィス５１と、それぞれの吸引オリフィス５１と協働する吸引バルブ６１と、吸引バルブ６１と選択的に相互作用することが可能である電磁場発生要素７１とが適切に備えられている）が、往復コンプレッサの圧縮シリンダ１上に配置されている。
【００４２】
より具体的には、前記吸引バルブ６１は、前記吸引オリフィス５１によって圧縮シリンダ１の内部と流体連通する一種の副室に固着されている（本発明によれば、それぞれのオリフィスのバルブ固着手段は、当該技術の現状に関する様々な形態で生じ得る）。さらに、述べられた電磁場発生要素７１、好ましくは電気コイルは、好ましくは上述の副室の内部に配置されていることをも留意されたい。
【００４３】
さらに図１に関連して、「オリフィスバルブ」セット４２（吸引オリフィス５２と、それぞれの吸引オリフィス５２と協働して作動する吸引バルブ６２とが適切に備えられている）が、往復コンプレッサのバルブプレート２上に配置されていることに留意されたい。
【００４４】
任意選択的に、かつ、さらにこの第１の実施形態によれば、「オリフィスバルブ」セット４２は、往復コンプレッサの可動ピストン３上に配置され得る。
【００４５】
さらにこれに関連して、上述の副室が、２つの機能の環境を備え得ることを開示することに価値がある。すなわち、「オリフィスバルブ」セット４１の組立てに適切な環境と、同時に、音響上の最適化機能（吸引マフラ）を有する環境とである。
【００４６】
第２の実施形態が図２に示されている。
【００４７】
図２に示すように、「オリフィスバルブ」セット４１（吸引オリフィス５１と、それぞれの吸引オリフィス５１と協働して作動する吸引バルブ６１と、吸引バルブ６１と選択的に相互作用することが可能である電磁場発生要素７１とが適切に備えられている）が、往復コンプレッサのバルブプレート２上に配置されている。
【００４８】
より詳細には、電磁場発生要素７１が、圧縮シリンダ１の外側にあるように、バルブプレート２上に固着されており、一方、前記吸引バルブ６１は圧縮シリンダ１内に配置されている。吸引オリフィス５１自体は、バルブプレート２上に形成された中空オリフィスを備えている。本発明によれば、それぞれのオリフィス上のバルブ固着手段は、当該技術の現状に関連して、様々な形態で生じ得る。
【００４９】
さらに図２に関連して、「オリフィスバルブ」セット４２（吸引オリフィス５２と、それぞれの吸引オリフィス５２と協働して作動する吸引バルブ６２とが適切に備えられている）が、往復コンプレッサの圧縮シリンダ３に配置されており、このタイプの配置は、当業者によってすでに知られていることに留意されたい。
【００５０】
任意選択的に、かつ、さらにこの第２の実施形態によれば、「オリフィスバルブ」セット４２は、往復コンプレッサの圧縮シリンダ１上に配置され得る。
【００５１】
第３の実施形態が図３に示されている。
【００５２】
図３に示すように、「オリフィスバルブ」セット４１（吸引オリフィス５１と、それぞれの吸引オリフィス５１と協働して作動する吸引バルブ６１と、吸引バルブ６１と選択的に相互作用することが可能である電磁場発生要素７１とが適切に備えられている）が、往復コンプレッサの圧縮シリンダ３上に配置されている。
【００５３】
より詳細には、電磁場発生要素７１が、圧縮シリンダ１の外側にあるように、圧縮シリンダ３の背面上に固着されており、一方、前記吸引バルブ６１は圧縮シリンダ１内に配置されている。吸引オリフィス５１自体は、まさに圧縮シリンダ３上に形成された中空オリフィスを備えており、本発明によれば、それぞれのオリフィス上のバルブ固着手段は、当該技術の現状に関連して、様々な形態で生じ得る。
【００５４】
さらに図３に関連して、「オリフィスバルブ」セット４２（吸引オリフィス５２と、それぞれの吸引オリフィス５２と協働して作動する吸引バルブ６２とが適切に備えられている）が、バルブプレート２上に配置されており、このタイプの配置は、当業者によってすでに知られていることに留意されたい。
【００５５】
任意選択的に、かつ、さらにこの第３の実施形態によれば、「オリフィスバルブ」セット４２は、往復コンプレッサの圧縮シリンダ１上に配置され得る。
【００５６】
これら実施形態の、当該技術の状況（特に、文献ブラジル連邦共和国特許出願公開１００１３５９号明細書に記載の技術の状況）に対する大きな利点は、半コマンド型バルブ（吸引バルブ６１およびその電磁場発生要素７１）が、往復コンプレッサの異なる構成要素に、自動型バルブ（吸引バルブ６２）から「離れて」配置されているという事実に関する。このことにより、全体として「オリフィスバルブ」セット４１のアセンブリのための空間、より具体的には、全体として、前記「オリフィスバルブ」セット４１に付属する電磁場発生要素７１のアセンブリのための空間の使用が可能になり、それにより、実現可能かつ実施可能な小型のコンプレッサの実施形態を可能にする。
【００５７】
当該発明の好ましい実施形態の例を説明してきたが、本特許の範囲は、特許請求の範囲の内容によってのみ制限される他の潜在的な変形形態を含み得ることを理解しなければならない。
【手続補正２】
【補正対象書類名】特許請求の範囲
【補正対象項目名】全文
【補正方法】変更
【補正の内容】
【特許請求の範囲】
【請求項１】
異なる作動圧力の少なくとも２つの吸引ラインを伴って作動することが可能である往復コンプレッサにして、
少なくとも圧縮シリンダ（１）と、圧縮シリンダ（１）の一端に配置された少なくともバルブプレート（２）と、および圧縮シリンダ（１）の内部に配置された少なくとも可動ピストン（３）と、を備える、往復コンプレッサであって、
少なくとも吸引オリフィス（５１）と、それぞれの吸引オリフィス（５１）と協働して作動する少なくとも吸引バルブ（６１）と、および、吸引バルブ（６１）と選択的に相互作用することが可能な少なくとも電磁場発生要素（７１）とが備えられた少なくとも「オリフィスバルブ」セット（４１）と、
少なくとも吸引オリフィス（５２）と、それぞれの吸引オリフィス（５２）と協働して作動する少なくとも吸引バルブ（６２）とが備えられた少なくとも「オリフィスバルブ」セット（４２）と、
が備えられた少なくとも吸引バルブの構成と、
を備え、
特に、前記「オリフィスバルブ」セット（４１）および（４２）が、往復コンプレッサの異なる構成要素に配置されているとともに、並行に配置されていることを特徴とする、吸引バルブの構成が設けられた往復コンプレッサ。
【請求項２】
「オリフィスバルブ」セット（４１）が、往復コンプレッサの圧縮シリンダ（１）上に配置されていることを特徴とする、請求項１に記載の、吸引バルブの構成が備えられた往復コンプレッサ。
【請求項３】
「オリフィスバルブ」セット（４２）が、往復コンプレッサのバルブプレート（２）上に配置されていることを特徴とする、請求項２に記載の、吸引バルブの構成が備えられた往復コンプレッサ。
【請求項４】
「オリフィスバルブ」セット（４２）が、往復コンプレッサの可動ピストン（３）上に配置されていることを特徴とする、請求項２に記載の、吸引バルブの構成が備えられた往復コンプレッサ。
【請求項５】
「オリフィスバルブ」セット（４１）が、往復コンプレッサのバルブプレート（２）上に配置されていることを特徴とする、請求項１に記載の、吸引バルブの構成が備えられた往復コンプレッサ。
【請求項６】
「オリフィスバルブ」セット（４２）が、往復コンプレッサの圧縮シリンダ（１）上に配置されていることを特徴とする、請求項５に記載の、吸引バルブの構成が備えられた往復コンプレッサ。
【請求項７】
「オリフィスバルブ」セット（４２）が、往復コンプレッサの可動ピストン（３）上に配置されていることを特徴とする、請求項５に記載の、吸引バルブの構成が備えられた往復コンプレッサ。
【請求項８】
「オリフィスバルブ」セット（４１）が、往復コンプレッサの可動ピストン（３）上に配置されていることを特徴とする、請求項１に記載の、吸引バルブの構成が備えられた往復コンプレッサ。
【請求項９】
「オリフィスバルブ」セット（４２）が、往復コンプレッサの圧縮シリンダ（１）上に配置されていることを特徴とする、請求項８に記載の、吸引バルブの構成が備えられた往復コンプレッサ。
【請求項１０】
「オリフィスバルブ」セット（４２）が、往復コンプレッサのバルブプレート（２）上に配置されていることを特徴とする、請求項８に記載の、吸引バルブの構成が備えられた往復コンプレッサ。
【国際調査報告】
2017508919.tif 000006
2017508919.tif 000007